(57)【要約】【課題】見返しパネルのデザインに変化を付け易く、また、見返しパネルに対する装飾リングの位置決め精度を向上させ易く、更に、構成部品の削減によるコスト低減を図れるだけでなく、装飾リングを固定する際の作業性を向上させることもできる計器を提供すること。【解決手段】見返しパネル２０は、第１の見返しパネル部材２１と、第１の見返しパネル部材２１の側端面２１ａに連結される第２の見返しパネル部材２２と、を備え、メータ文字板の外周を囲う環状の装飾部４０ａを形成する装飾リング４０は、環状のリング本体４１の一側の外周部を第１の見返しパネル部材２１の側端面のリング保持溝６５へ嵌合させると共に、リング本体４１の外周に突設された取り付け片を第１の見返しパネル部材２１上の取り付け載置面にねじ止めすることで、第１の見返しパネル部材２１の側端面２１ａに直接固定される。【選択図】図２
2014071010.tif 000002
【特許請求の範囲】
【請求項１】
コンビネーションメータ等における見返しパネルに配置される円盤状のメータ文字板と、当該メータ文字板の外周を囲う環状の装飾部を形成する装飾リングと、を備える計器であって、
前記装飾リングは、前記装飾部を提供するリング本体と、当該リング本体の周方向の一部範囲の裏面から環状構造の径方向外方に向かって突設された取り付け片と、を備え、
前記見返しパネルは、第１の見返しパネル部材と、一側面を前記第１の見返しパネル部材の側端面に突き合わせて前記第１の見返しパネル部材に連結される第２の見返しパネル部材と、を備え、
前記第１の見返しパネル部材は、
前記第２の見返しパネル部材が突き合わされる前記側端面に形成されたリング保持溝であって、前記装飾部を形成する環状の前記リング本体の一部の外周縁を環状構造の径方向に割り込ませることで前記リング本体の一側を保持するリング保持溝と、
前記第１の見返しパネル部材の前記側端面側の表面を凹ませて形成された取り付け載置面であって、前記リング本体の一側を前記リング保持溝に割り込ませたときに前記取り付け片が載置状態となる取り付け載置面と、
前記第１の見返しパネル部材の表面側から前記取り付け片をねじ止め可能に前記取り付け載置面に形成されたねじ部と、を備え、
前記装飾リングは、前記リング本体の一側の外周部を前記リング保持溝へ嵌合させると共に、前記取り付け片を前記取り付け載置面にねじ止めすることで、前記第１の見返しパネル部材の前記側端面に直接固定されることを特徴とする計器。
【請求項２】
前記第１の見返しパネル部材は、
前記第２の見返しパネル部材が突き合わされる前記側端面の裏面寄りの位置から前記第２の見返しパネル部材側に張り出して設けられて前記リング本体を載置可能な環状のリング載置面と、
前記リング載置面と対向するように前記第１の見返しパネル部材の表面側の層を前記第２の見返しパネル部材側に張り出して形成される第１の押さえフランジ部であって、前記リング載置面との間に前記リング保持溝を画成する第１の押さえフランジ部と、
前記リング載置面と連続するように前記第１の見返しパネル部材の表面から凹んで形成された前記取り付け載置面であって、前記リング本体の一側の外周を前記リング保持溝に割り込ませて前記リング本体を前記リング載置面に載置状態にしたときに前記取り付け片が載置状態となる前記取り付け載置面と、を備えたことを特徴とする請求項１に記載の計器。
【請求項３】
前記取り付け載置面には、前記第１の見返しパネル部材と前記第２の見返しパネル部材との突き合わせ方向に沿って延在する案内部を備え、
前記取り付け片には、前記リング本体をその環状構造の径方向に沿って前記リング保持溝に割り込ませる際に前記案内部に摺動可能に係合して、前記リング本体の移動方向を規制する案内係合部を備え、
前記案内部及び案内係合部の一方はガイド溝、他方はガイド溝に摺動可能に係合するリブであることを特徴とする請求項２に記載の計器。
【請求項４】
前記第２の見返しパネル部材は、
前記第１の見返しパネル部材との連結状態になったときに、前記リング保持溝からはみ出している前記リング本体の外周縁を押さえる第２の押さえフランジ部と、
前記第１の見返しパネル部材との連結状態になったときに、前記取り付け片の上を覆う取付部隠し部と、を備えた
ことを特徴とする請求項１〜３の何れか１項に記載の計器。
【発明の詳細な説明】
【技術分野】
【０００１】
本発明は、見返しパネル（見返し）に配置される円盤状のメータ文字板と、このメータ文字板の外周を囲う環状の装飾部を形成する装飾リングと、を備える計器に関する。
【背景技術】
【０００２】
図４は、下記特許文献１に開示された計器である。
この計器１００は、車両に搭載されるタコメータで、見返しパネル１１０に配置される円盤状のメータ文字板１２０と、このメータ文字板１２０の外周を囲う環状の装飾部１３１を形成する装飾リング１３０と、を備える。
【０００３】
見返しパネル１１０は、単一の板材（パネル）である。
【０００４】
特許文献１における装飾リング１３０は、径方向に拡縮可能なように周方向の一部を切除した円弧形状に形成されている。そして、装飾部１３１の裏面側には、取り付け手段としての突起１３３が設けられている。
【０００５】
メータ文字板１２０の外周には、導光リング１４０が嵌合装着される。導光リング１４０の上端面には、装飾リング１３０上の突起１３３が係合する突起受け１４３が設けられている。
【０００６】
装飾リング１３０は、突起１３３を導光リング１４０上の突起受け１４３に係合させることで、突起受け１４３の上端に連結される。
【０００７】
導光リング１４０の下端面には、連結ピン１４４が突設されている。この連結ピン１４４は、メータケース１５０に装備された取付孔１５４に嵌合するピンである。
【０００８】
上端に装飾リング１３０が連結された導光リング１４０は、連結ピン１４４を取付孔１５４に嵌合させることで、メータケース１５０に連結される。
【０００９】
メータケース１５０には、基板１６０が収容されている。基板１６０には、メータ文字板１２０の中央を挿通する指針軸１７０を回転駆動する指針駆動手段１６１や、導光リング１４０を照明する光源などが搭載されている。
【００１０】
導光リング１４０が組み付けられたメータケース１５０には、見返しパネル１１０が組み付けられる。
【００１１】
即ち、装飾リング１３０は、導光リング１４０及びメータケース１５０を介して、見返しパネル１１０に位置決めされる。
【先行技術文献】
【特許文献】
【００１２】
【特許文献１】特開２００７−１２７５２３号公報
【発明の概要】
【発明が解決しようとする課題】
【００１３】
ところで、車両に搭載されるメータ類には、動作性能だけでなく、意匠性に優れたデザインが求められる。しかし、特許文献１の計器は、見返しパネル１１０が単調な単一のパネルであるため、デザインに変化を付け難いという問題があった。
【００１４】
また、装飾リング１３０が、導光リング１４０やメータケース１５０などを介して見返しパネル１１０に位置決めされる構成で、見返しパネル１１０との間に介在する部品が多いため、累積公差等によって位置決め精度の向上が難しいという問題もあった。
【００１５】
更に、装飾リング１３０を見返しパネル１１０に位置決めするまでに、装飾リング１３０の導光リング１４０への組み付け、導光リング１４０のメータケース１５０への組み付け、メータケース１５０の見返しパネル１１０への組み付けなど、多数の組み付け工程が発生し、装飾リングを固定する際の作業性が悪いという問題もあった。
【００１６】
そこで、本願出願人は、上記の問題を解決するために、図５及び図６に示す計器の構造を開発した。
【００１７】
図５及び図６において、符号２００は計器における見返しパネル、符号３００は見返しパネル２００に位置決めされた装飾リング３００である。
【００１８】
この装飾リング３００は、図１に示すコンビネーションメータ１０に装備される小型の計器３１，３２，３３，３４において使用されるものである。
【００１９】
更に詳しく説明すると、装飾リング３００は、図１の計器３１，３２，３３，３４における円盤状のメータ文字板３１ａ，３２ａ，３３ａ，３４ａの外周を囲う環状構造である。
【００２０】
なお、図５及び図６に示した装飾リング３００は、図１に示すコンビネーションメータ１０における計器３１のメータ文字板３１ａの外周を装飾するリングで、外周に金属調メッキが施されている。
【００２１】
見返しパネル２００は、第１の見返しパネル部材２１０の外周に第２の見返しパネル部材２２０を連結して、所定の大きさのパネル表面を形成している。
【００２２】
第１の見返しパネル部材２１０は、見返しパネル２００の全体範囲において略中央の範囲を提供するパネルである。第２の見返しパネル部材２２０は、第１の見返しパネル部材２１０の両側の範囲を提供するパネルである。
【００２３】
第１の見返しパネル部材２１０と第２の見返しパネル部材２２０とは、配色等を互いに独立にデザインすることができる。
【００２４】
第２の見返しパネル部材２２０は、図５に示すように、その一側面（内側面）２２０ａを第１の見返しパネル部材２１０の側端面２１０ａに突き合わせて、不図示の連結機構によって第１の見返しパネル部材２１０に連結される。
【００２５】
第１の見返しパネル部材２１０の側端面２１０ａには、パネル表面側から視て半円状と成る開口２１２が設けられている。また、第２の見返しパネル部材２２０の一側面２２０ａには、第１の見返しパネル部材２１０上の開口２１２に対向して、パネル表面側から視て半円状と成る開口２２２が設けられている。
【００２６】
図５に示すように第１の見返しパネル部材２１０と第２の見返しパネル部材２２０とが互いの側縁を突き合わせて連結された状態では、開口２１２と開口２２２とが繋がって、メータ文字板３１ａを配置するための円形開口部２３０が形成される。
【００２７】
図６に示すように、装飾リング３００は、外径が円形開口部２３０よりも大きく、内径が円形開口部２３０よりも小さく形成された環状のリングである。この装飾リング３００は、内周部が一定の幅で円形開口部２３０の内周に沿って露出するように、見返しパネル２００の裏面側に配置され、見返しパネル２００の裏面にねじ止めされるリング押さえ部材２５０により見返しパネル２００に押圧固定される。
【００２８】
図６に示すように、リング押さえ部材２５０は、装飾リング３００の裏面に当接する環状部２５１と、環状部２５１の外周から延出して見返しパネル２００にねじ止めされる取り付け片２５２と、を備えている。
【００２９】
図５及び図６に示した取り付け構造では、見返しパネル２００が第１の見返しパネル部材２１０と第２の見返しパネル部材２２０との複数のパネル部材より構成され、それぞれのパネル部材２１０，２２０に個別に配色等のデザインを施すことができる。そのため、見返しパネル２００のデザインに変化を付け易く、見返しパネル２００の意匠性を向上させることができる。
【００３０】
また、装飾リング３００が、見返しパネル２００に直接位置決めされる構成であるため、多数部品の介在による累積公差が発生せず、見返しパネル２００に対する装飾リング３００の位置決め精度を向上させることができる。
【００３１】
また、装飾リング３００を見返しパネル２００に固定する際に介在する部品が、リング押さえ部材２５０とねじ部材だけで良く、特許文献１の計器１００と比較すると、構成部品が削減されている。しかし、見返しパネル２００とは別部材のリング押さえ部材２５０を使用することが、構成部品の増加を招き、装飾リングを固定する際の作業性を低下させる要因となっていた。
【００３２】
そこで、本発明の目的は、上記課題を解消することに係り、見返しパネルのデザインに変化を付け易く、また、見返しパネルに対する装飾リングの位置決め精度を向上させ易く、更に、構成部品の削減によるコスト低減を図れるだけでなく、装飾リングを固定する際の作業性を向上させることもできる計器を提供することにある。
【課題を解決するための手段】
【００３３】
本発明の前述した目的は、下記の構成により達成される。
（１）  コンビネーションメータ等における見返しパネルに配置される円盤状のメータ文字板と、当該メータ文字板の外周を囲う環状の装飾部を形成する装飾リングと、を備える計器であって、
前記装飾リングは、前記装飾部を提供するリング本体と、当該リング本体の周方向の一部範囲の裏面から環状構造の径方向外方に向かって突設された取り付け片と、を備え、
前記見返しパネルは、第１の見返しパネル部材と、一側面を前記第１の見返しパネル部材の側端面に突き合わせて前記第１の見返しパネル部材に連結される第２の見返しパネル部材と、を備え、
前記第１の見返しパネル部材は、
前記第２の見返しパネル部材が突き合わされる前記側端面に形成されたリング保持溝であって、前記装飾部を形成する環状の前記リング本体の一部の外周縁を環状構造の径方向に割り込ませることで前記リング本体の一側を保持するリング保持溝と、
前記第１の見返しパネル部材の前記側端面側の表面を凹ませて形成された取り付け載置面であって、前記リング本体の一側を前記リング保持溝に割り込ませたときに前記取り付け片が載置状態となる取り付け載置面と、
前記第１の見返しパネル部材の表面側から前記取り付け片をねじ止め可能に前記取り付け載置面に形成されたねじ部と、を備え、
前記装飾リングは、前記リング本体の一側の外周部を前記リング保持溝へ嵌合させると共に、前記取り付け片を前記取り付け載置面にねじ止めすることで、前記第１の見返しパネル部材の前記側端面に直接固定されることを特徴とする計器。
【００３４】
（２）  前記第１の見返しパネル部材は、
前記第２の見返しパネル部材が突き合わされる前記側端面の裏面寄りの位置から前記第２の見返しパネル部材側に張り出して設けられて前記リング本体を載置可能な環状のリング載置面と、
前記リング載置面と対向するように前記第１の見返しパネル部材の表面側の層を前記第２の見返しパネル部材側に張り出して形成される第１の押さえフランジ部であって、前記リング載置面との間に前記リング保持溝を画成する第１の押さえフランジ部と、
前記リング載置面と連続するように前記第１の見返しパネル部材の表面から凹んで形成された前記取り付け載置面であって、前記リング本体の一側の外周を前記リング保持溝に割り込ませて前記リング本体を前記リング載置面に載置状態にしたときに前記取り付け片が載置状態となる前記取り付け載置面と、を備えたことを特徴とする上記（１）に記載の計器。
【００３５】
（３）  前記取り付け載置面には、前記第１の見返しパネル部材と前記第２の見返しパネル部材との突き合わせ方向に沿って延在する案内部を備え、
前記取り付け片には、前記リング本体をその環状構造の径方向に沿って前記リング保持溝に割り込ませる際に前記案内部に摺動可能に係合して、前記リング本体の移動方向を規制する案内係合部を備え、
前記案内部及び案内係合部の一方はガイド溝、他方はガイド溝に摺動可能に係合するリブであることを特徴とする上記（２）に記載の計器。
【００３６】
（４）  前記第２の見返しパネル部材は、
前記第１の見返しパネル部材との連結状態になったときに、前記リング保持溝からはみ出している前記リング本体の外周縁を押さえる第２の押さえフランジ部と、
前記第１の見返しパネル部材との連結状態になったときに、前記取り付け片の上を覆う取付部隠し部と、を備えた
ことを特徴とする上記（１）〜（３）の何れか１つに記載の計器。
【００３７】
上記（１）の構成によれば、見返しパネルが第１の見返しパネル部材と第２の見返しパネル部材との複数のパネル部材より構成され、それぞれのパネル部材に個別に配色等のデザインを施すことができる。そのため、見返しパネルのデザインに変化を付け易く、見返しパネルの意匠性を向上させることができる。
【００３８】
また、上記（１）の構成によれば、装飾リングが、見返しパネルに直接位置決めされる構成であるため、多数部品の介在による累積公差が発生せず、見返しパネルに対する装飾リングの位置決め精度を向上させることができる。
【００３９】
また、上記（１）の構成によれば、装飾リングは、リング本体と、このリング本体に突設された取り付け片とを備えている。そして、装飾リングは、リング本体の一側の外周部を第１の見返しパネル部材における側端面のリング保持溝へ嵌合させると共に、取り付け片を第１の見返しパネル部材上の取り付け載置面にねじ止めすることで、第１の見返しパネル部材の側端面に固定される。
【００４０】
即ち、上記（１）の構成によれば、装飾リングは、見返しパネルとは別部材のリング押さえ部材を使用せずに、ねじ部材だけで、第１の見返しパネル部材の側端面に直接固定される。また、取り付け片のねじ止め作業は、第１の見返しパネル部材の表面側から実施することができ、ねじ止め作業も実施し易い。
【００４１】
従って、構成部品の削減によるコスト低減を図れるだけでなく、装飾リングを固定する際の作業性を向上させることもできる。
【００４２】
上記（２）の構成によれば、第１の見返しパネル部材は、リング保持溝に隣接して、環状のリング載置面を有している。そのため、装飾リングのリング本体の一側をリング保持溝に割り込ませて保持させた際に、リング本体のリング保持溝からはみ出た部分は、リング載置面により支持され、リング本体の略全周が支持されるため、装飾リングを安定した姿勢に保持することができ、装飾リングの位置決め精度の向上に適している。
【００４３】
また、上記（２）の構成によれば、装飾リングは、リング本体の一側の外周を第１の見返しパネル部材のリング保持溝に割り込ませてリング本体をリング載置面に載置状態にしたときに、取り付け片が第１の見返しパネル部材上の取り付け載置面に載置状態となる。そのため、速やかに、取り付け片のねじ止め作業にかかることができる。従って、装飾リングをねじ止めするまでの一連の操作を円滑にして、作業性の向上を図ることができる。
【００４４】
上記（３）の構成によれば、装飾リングを第１の見返しパネル部材の側端面に組み付ける際に、装飾リングの移動方向は、案内部と案内係合部との係合により規制される。そのため、装飾リングがその環状構造の周方向に不用意に回動することを防止して、装飾リングを正確に取り付け載置面に誘導することができ、装飾リングを取り付ける際の操作を容易にすることができる。
【００４５】
上記（４）の構成によれば、第１の見返しパネル部材に第２の見返しパネル部材が連結状態になったときには、第１の見返しパネル部材のリング保持溝からはみ出しているリング本体の外周縁は、第２の押さえフランジ部によって第１の見返しパネル部材のリング載置面に押さえ込まれる。従って、装飾リングの全周を、しっかりとリング載置面に固定することができる。
【００４６】
また、装飾リングの取り付け片や、該取り付け片を取り付け載置面に固定するねじ等は、第２の見返しパネル部材の取付部隠し部によって覆われて隠される。従って、ねじ等の露出によって意匠的外観が損なわれることがなく、すっきりとしたパネルデザインを得ることができる。
【発明の効果】
【００４７】
本発明による計器によれば、見返しパネルが第１の見返しパネル部材と第２の見返しパネル部材との複数のパネル部材より構成され、それぞれのパネル部材に個別に配色等のデザインを施すことができる。そのため、見返しパネルのデザインに変化を付け易く、見返しパネルの意匠性を向上させることができる。
【００４８】
また、本発明による計器によれば、装飾リングが、見返しパネルに直接位置決めされる構成であるため、多数部品の介在による累積公差が発生せず、見返しパネルに対する装飾リングの位置決め精度を向上させることができる。
【００４９】
また、本発明による計器によれば、装飾リングは、見返しパネルとは別部材のリング押さえ部材を使用せずに、ねじ部材だけで、第１の見返しパネル部材の側端面に直接固定される。また、取り付け片のねじ止め作業は、第１の見返しパネル部材の表面側から実施することができ、ねじ止め作業も実施し易い。
【００５０】
従って、構成部品の削減によるコスト低減を図れるだけでなく、装飾リングを固定する際の作業性を向上させることもできる。
【００５１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００５２】
【図１】図１は本発明に係る計器を含むコンビネーションメータの一実施形態の正面図である。
【図２】図２は図１のＢ−Ｂ断面図である。
【図３】図３は図２に示した第１の見返しパネル部材及び装飾リングの分解斜視図である。
【図４】図４は従来の計器の分解斜視図である。
【図５】図５は本願出願人が本発明の前に開発した計器の装飾リングの取付構造を示す平面図である。
【図６】図６は図５のＡ−Ａ断面図である。
【発明を実施するための形態】
【００５３】
以下、本発明に係る計器の好適な実施形態について、図面を参照して詳細に説明する。
図１〜図３は本発明に係る計器の一実施形態を示したもので、図１は本発明に係る計器を含むコンビネーションメータの一実施形態の正面図、図２は図１のＢ−Ｂ断面図、図３は図２に示した第１の見返しパネル部材及び装飾リングの分解斜視図である。
【００５４】
図１に示したコンビネーションメータ１０は、車両のダッシュボードに配置される複合メータで、１つの見返しパネル２０上に複数の計器３１〜３７が配置される。
【００５５】
計器３１〜３４は小型の丸型計器で、計器３１は油圧計、計器３２は電圧計、計器３３は水温計、計器３４は燃料計である。また、計器３５，３６は大型の丸型計器で、計器３５は速度計、計器３６は回転計である。また、計器３７は、表示装置として角形の液晶ディスプレイを使って多種の情報を表示する計器で、走行距離を示すオドメータや、燃費計や、ギヤポジションインジケータなどとして機能することができる。
【００５６】
計器３１〜３４は、見返しパネル２０に配置される円盤状のメータ文字板３１ａ，３２ａ，３３ａ，３４ａと、装飾リング４０と、を備えている。装飾リング４０は、それぞれのメータ文字板３１ａ，３２ａ，３３ａ，３４ａの外周を囲う環状の縁取り状の装飾部４０ａを形成するリングである。
【００５７】
装飾リング４０は、図３に示すように、装飾部４０ａを提供する環状のリング本体４１と、取り付け片４２と、を備えている。取り付け片４２は、リング本体４１の周方向の一部範囲の裏面から環状構造の径方向外方に向かって突設されている。この取り付け片４２には、見返しパネル２０の表面と直交する方向に貫通するように、取付孔４２ａが形成されている。この取付孔４２ａは、ねじ止め用の孔である。
【００５８】
取り付け片４２には、案内係合部としてのリブ４２１が、設けられている。このリブ４２１は、図３に示すように、リング本体４１をその環状構造の径方向（図３の矢印Ｃ方向）に沿って後述のリング保持溝６５に割り込ませる際に、後述のガイド溝６７に摺動可能に係合する。リブ４２１は、後述のガイド溝６７に係合することで、リング本体４１の移動方向を、ガイド溝６７の延在方向に規制する。
【００５９】
見返しパネル２０は、第１の見返しパネル部材２１の外周に第２の見返しパネル部材２２を連結して、所定の大きさのパネル表面を形成している。
【００６０】
第１の見返しパネル部材２１は、見返しパネル２０の全体範囲において略中央の範囲を提供するパネルである。第２の見返しパネル部材２２は、第１の見返しパネル部材２１の両側の範囲を提供するパネルである。
【００６１】
第１の見返しパネル部材２１と第２の見返しパネル部材２２とは、配色等を互いに独立にデザインすることができる。
【００６２】
第２の見返しパネル部材２２は、図１に示すように、その一側面２２ａを第１の見返しパネル部材２１の両側の側端面２１ａに突き合わせた状態で、不図示の連結機構によって、第１の見返しパネル部材２１に連結される。
【００６３】
第１の見返しパネル部材２１の側端面２１ａには、パネル表面側から視て半円状と成る開口２１ｂが設けられている。また、第２の見返しパネル部材２２の一側面２２ａには、第１の見返しパネル部材２１上の開口２１ｂに対向して、パネル表面側から視て半円状と成る開口２２ｂが設けられている。
【００６４】
図１に示すように第１の見返しパネル部材２１と第２の見返しパネル部材２２とが互いの側縁を突き合わせて連結された状態では、開口２１ｂと開口２２ｂとが繋がって、メータ文字板３１ａを配置するための円形開口部２３０が形成される。
【００６５】
図２に示すように、装飾リング４０は、外径が円形開口部２３０よりも大きく、内径が円形開口部２３０よりも小さく形成された環状のリングである。
【００６６】
本実施形態の第１の見返しパネル部材２１は、図３に示すように、環状のリング載置面６１と、第１の押さえフランジ部６２と、取り付け載置面６３と、を備えている。
【００６７】
リング載置面６１は、リング本体４１を載置可能な環状の面で、第２の見返しパネル部材２２が突き合わされる側端面２１ａの裏面寄りの位置から第２の見返しパネル部材２２側に張り出して設けられている。
【００６８】
第１の押さえフランジ部６２は、リング載置面６１と対向するように第１の見返しパネル部材２１の表面側の層を前記第２の見返しパネル部材２２側に張り出して形成されたフランジ部である。この第１の押さえフランジ部６２は、図３に示すように、リング載置面６１との間に、リング保持溝６５を画成する。
【００６９】
リング保持溝６５は、第２の見返しパネル部材２２が突き合わされる第１の見返しパネル部材２１の側端面２１ａに形成された溝である。また、リング保持溝６５は、装飾部４０ａを形成する環状のリング本体４１の一部の外周縁を環状構造の径方向（図３の矢印Ｃ方向）に割り込ませることで、リング本体４１の一側を保持する。
【００７０】
取り付け載置面６３は、図３に示すように、リング載置面６１と連続するように、第１の見返しパネル部材２１の表面から凹んで形成されている。この取り付け載置面６３は、リング本体４１の一側の外周をリング保持溝６５に割り込ませてリング本体４１をリング載置面６１に載置状態にしたときに、取り付け片４２が載置状態となる。
【００７１】
取り付け載置面６３には、第１の見返しパネル部材２１の表面側から取り付け片４２をねじ止め可能に、ねじ部６６が形成されている。
【００７２】
また、取り付け載置面６３には、第１の見返しパネル部材２１と第２の見返しパネル部材２２との突き合わせ方向に沿って延在する案内部としてのガイド溝６７が備えられている。このガイド溝６７は、取り付け片４２上のリブ４２１が摺動可能に嵌合する溝である。
【００７３】
本実施形態の計器３１における装飾リング４０は、リング本体４１の一側の外周部をリング保持溝６５へ嵌合させると共に、取り付け片４２を取り付け載置面６３にねじ止めすることで、第１の見返しパネル部材２１の側端面２１ａに直接固定される。
【００７４】
第１の見返しパネル部材２１に固定された装飾リング４０は、リング本体４１の内周部が一定の幅で円形開口部２３０の内周に沿って露出するように、第１の見返しパネル部材２１に位置決めされる。
【００７５】
第２の見返しパネル部材２２は、図１に示すように、第２の押さえフランジ部２２ｄと、取付部隠し部２２ｅと、を備えている。
【００７６】
第２の押さえフランジ部２２ｄは、第２の見返しパネル部材２２が第１の見返しパネル部材２１との連結状態になったときに、図２に示すように、リング保持溝６５からはみ出しているリング本体４１の外周縁を、リング載置面６１に押さえ込む。
【００７７】
取付部隠し部２２ｅは、図１に示すように、第２の見返しパネル部材２２が第１の見返しパネル部材２１との連結状態になったときに、取り付け片４２の上を覆って、取り付け片４２や、取り付けねじを隠す。
【００７８】
以上に説明した一実施形態の計器３１の場合、見返しパネル２０が第１の見返しパネル部材２１と第２の見返しパネル部材２２との複数のパネル部材より構成され、それぞれのパネル部材に個別に配色等のデザインを施すことができる。そのため、見返しパネル２０のデザインに変化を付け易く、見返しパネル２０の意匠性を向上させることができる。
【００７９】
また、以上に説明した一実施形態の計器３１の場合、装飾リング４０が、見返しパネル２０に直接位置決めされる構成であるため、多数部品の介在による累積公差が発生せず、見返しパネル２０に対する装飾リング４０の位置決め精度を向上させることができる。
【００８０】
また、以上に説明した一実施形態の計器３１の場合、装飾リング４０は、リング本体４１と、このリング本体４１に突設された取り付け片４２とを備えている。そして、装飾リング４０は、リング本体４１の一側の外周部を第１の見返しパネル部材２１における側端面２１ａのリング保持溝６５へ嵌合させると共に、取り付け片４２を第１の見返しパネル部材２１上の取り付け載置面６３にねじ止めすることで、第１の見返しパネル部材２１の側端面２１ａに固定される。
【００８１】
即ち、以上に説明した一実施形態の計器３１の場合、装飾リング４０は、見返しパネル２０とは別部材のリング押さえ部材を使用せずに、ねじ部材だけで、第１の見返しパネル部材２１の側端面２１ａに直接固定される。また、取り付け片４２のねじ止め作業は、第１の見返しパネル部材２１の表面側から実施することができ、ねじ止め作業も実施し易い。
【００８２】
従って、構成部品の削減によるコスト低減を図れるだけでなく、装飾リング４０を固定する際の作業性を向上させることもできる。
【００８３】
また、以上に説明した一実施形態の計器３１の場合、第１の見返しパネル部材２１は、リング保持溝６５に隣接して、環状のリング載置面６１を有している。そのため、装飾リング４０のリング本体４１の一側をリング保持溝６５に割り込ませて保持させた際に、リング本体４１のリング保持溝６５からはみ出た部分は、リング載置面６１により支持され、リング本体４１の略全周が支持されるため、装飾リング４０を安定した姿勢に保持することができ、装飾リング４０の位置決め精度の向上に適している。
【００８４】
また、以上に説明した一実施形態の計器３１の場合、装飾リング４０は、リング本体４１の一側の外周を第１の見返しパネル部材２１のリング保持溝６５に割り込ませてリング本体４１をリング載置面６１に載置状態にしたときに、取り付け片４２が第１の見返しパネル部材２１上の取り付け載置面６３に載置状態となる。そのため、速やかに、取り付け片４２のねじ止め作業にかかることができる。従って、装飾リング４０をねじ止めするまでの一連の操作を円滑にして、作業性の向上を図ることができる。
【００８５】
また、以上に説明した一実施形態の計器３１の場合、装飾リング４０を第１の見返しパネル部材２１の側端面２１ａに組み付ける際に、装飾リング４０の移動方向は、案内部と案内係合部との係合により規制される。そのため、装飾リング４０がその環状構造の周方向に不用意に回動することを防止して、装飾リング４０を正確に取り付け載置面に誘導することができ、装飾リング４０を取り付ける際の操作を容易にすることができる。
【００８６】
また、以上に説明した一実施形態の計器３１の場合、第１の見返しパネル部材２１に第２の見返しパネル部材２２が連結状態になったときには、第１の見返しパネル部材２１のリング保持溝６５からはみ出しているリング本体４１の外周縁は、第２の押さえフランジ部２２ｄによって第１の見返しパネル部材２１のリング載置面６１に押さえ込まれる。従って、装飾リング４０の全周を、しっかりとリング載置面６１に固定することができる。
【００８７】
また、装飾リング４０の取り付け片４２や、該取り付け片４２を取り付け載置面６３に固定するねじ等は、第２の見返しパネル部材２２の取付部隠し部２２ｅによって覆われて隠される。従って、ねじ等の露出によって意匠的外観が損なわれることがなく、すっきりとしたパネルデザインを得ることができる。
【００８８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００８９】
例えば、本発明の計器の構造は、図１に示したコンビネーションメータ１０において、計器３１に限らず、同様に装飾リング４０を装備している計器３２〜３４にも適用することができる。
【００９０】
また、本発明の取り付け載置面に装備する案内部、及び取り付け片に装備する案内係合部は、上記の実施形態とは逆に、案内部をリブにして、案内係合部をガイド溝にしても良い。
【００９１】
ここで、上述した本発明に係る計器の実施形態の特徴をそれぞれ以下［１］〜［４］に簡潔に纏めて列記する。
【００９２】
［１］  コンビネーションメータ等における見返しパネル（２０）に配置される円盤状のメータ文字板（３１ａ）と、当該メータ文字板（３１ａ）の外周を囲う環状の装飾部（４０ａ）を形成する装飾リング（４０）と、を備える計器（３１）であって、
前記装飾リング（４０）は、前記装飾部（４０ａ）を提供するリング本体（４１）と、当該リング本体（４１）の周方向の一部範囲の裏面から環状構造の径方向外方に向かって突設された取り付け片（４２）と、を備え、
前記見返しパネル（２０）は、第１の見返しパネル部材（２１）と、一側面（２２ａ）を前記第１の見返しパネル部材（２１）の側端面（２１ａ）に突き合わせて前記第１の見返しパネル部材（２１）に連結される第２の見返しパネル部材（２２）と、を備え、
前記第１の見返しパネル部材（２１）は、
前記第２の見返しパネル部材（２２）が突き合わされる前記側端面（２１ａ）に形成されたリング保持溝（６５）であって、前記装飾部（４０ａ）を形成する環状の前記リング本体（４１）の一部の外周縁を環状構造の径方向に割り込ませることで前記リング本体（４１）の一側を保持するリング保持溝（６５）と、
前記第１の見返しパネル部材（２１）の前記側端面（２１ａ）側の表面を凹ませて形成された取り付け載置面（６３）であって、前記リング本体（４１）の一側を前記リング保持溝（６５）に割り込ませたときに前記取り付け片（４２）が載置状態となる取り付け載置面（６３）と、
前記第１の見返しパネル部材（２１）の表面側から前記取り付け片（４２）をねじ止め可能に前記取り付け載置面（６３）に形成されたねじ部（６６）と、を備え、
前記装飾リング（４０）は、前記リング本体（４１）の一側の外周部を前記リング保持溝（６５）へ嵌合させると共に、前記取り付け片（４２）を前記取り付け載置面（６３）にねじ止めすることで、前記第１の見返しパネル部材（２１）の前記側端面（２１ａ）に直接固定されることを特徴とする計器（３１）。
【００９３】
［２］  前記第１の見返しパネル部材（２１）は、
前記第２の見返しパネル部材（２２）が突き合わされる前記側端面（２１ａ）の裏面寄りの位置から前記第２の見返しパネル部材（２２）側に張り出して設けられて前記リング本体（４１）を載置可能な環状のリング載置面（６１）と、
前記リング載置面（６１）と対向するように前記第１の見返しパネル部材（２１）の表面側の層を前記第２の見返しパネル部材（２２）側に張り出して形成される第１の押さえフランジ部であって、前記リング載置面（６１）との間に前記リング保持溝（６５）を画成する第１の押さえフランジ部（６２）と、
前記リング載置面（６１）と連続するように前記第１の見返しパネル部材（２１）の表面から凹んで形成された前記取り付け載置面（６３）であって、前記リング本体（４１）の一側の外周を前記リング保持溝（６５）に割り込ませて前記リング本体（４１）を前記リング載置面（６１）に載置状態にしたときに前記取り付け片（４２）が載置状態となる前記取り付け載置面（６３）と、を備えたことを特徴とする上記［１］に記載の計器（３１）。
【００９４】
［３］  前記取り付け載置面（６３）には、前記第１の見返しパネル部材（２１）と前記第２の見返しパネル部材（２２）との突き合わせ方向に沿って延在する案内部（６７）を備え、
前記取り付け片（４２）には、前記リング本体（４１）をその環状構造の径方向に沿って前記リング保持溝（６５）に割り込ませる際に前記案内部（６７）に摺動可能に係合して、前記リング本体（４１）の移動方向を規制する案内係合部（４２１）を備え、
前記案内部及び案内係合部の一方はガイド溝（６７）、他方はガイド溝（６７）に摺動可能に係合するリブ（４２１）であることを特徴とする上記［２］に記載の計器（３１）。
【００９５】
［４］  前記第２の見返しパネル部材（２２）は、
前記第１の見返しパネル部材（２１）との連結状態になったときに、前記リング保持溝（６５）からはみ出している前記リング本体（４１）の外周縁を押さえる第２の押さえフランジ部（２２ｄ）と、
前記第１の見返しパネル部材（２１）との連結状態になったときに、前記取り付け片（４２）の上を覆う取付部隠し部（２２ｅ）と、を備えた
ことを特徴とする上記［１］〜［３］の何れか１つに記載の計器（３１）。
【符号の説明】
【００９６】
２０  見返しパネル
２１  第１の見返しパネル部材
２１ａ  側端面
２２  第２の見返しパネル部材
２２ａ  一側面
２２ｄ  第２の押さえフランジ部
２２ｅ  取り付け部隠し部
３１  計器
３１ａ  メータ文字板
４０  装飾リング
４０ａ  装飾部
４１  リング本体
４２  取り付け片
６１  リング載置面
６２  第１の押さえフランジ部
６３  取り付け載置面
６５  リング保持溝
６６  ねじ部
６７  ガイド溝（案内部）
４２１  リブ（案内係合部）
【図１】
2014071010.tif 000003
【図２】
2014071010.tif 000004
【図３】
2014071010.tif 000005
【図４】
2014071010.tif 000006
【図５】
2014071010.tif 000007
【図６】
2014071010.tif 000008